(57)【要約】      （修正有）【課題】タブレット、スマホなど多数の略矩形の携帯端末を充電するために配列する収納ケースに於いて、携帯端末の厚さの違いに対する適応性を高めるとともに、携帯端末の挿抜が容易、かつ小型な携帯端末充電ケースを提供する。【解決手段】ベースプレート１０−１は、レールプレート１、２の配置、配列位置を指定するための孔、突起などによる多数の位置指示構造を備え、レールプレート１、２は、ベースプレート１０−１の位置指示構造に合わせて配置、配列するための突起、孔などの位置決め構造、ならびに回転や移動を防ぐ固定構造を備え、さらに搭載した携帯端末１１に高低段差を設けるための高段、低段の２種類で形成し、ベースプレート１０−１にレールプレート１、２の数、高段、低段、間隔を考慮して配置、配列して携帯端末充電ケースを構成する。【選択図】図１
0003210307.tif 000002
【実用新案登録請求の範囲】
【請求項１】
携帯端末を搭載するレールプレートと複数のレールプレートを配置、配列するためのベースプレートに構成する携帯端末充電ケースに関して、ベースプレートは、レールプレートの配置、配列位置を指定するための孔、突起などによる多数の位置指示構造を備え、レールプレートは、ベースプレートの位置指示構造に合わせて配置、配列するための突起、孔などの位置決め構造、ならびに回転や移動を防ぐ固定構造を備え、さらに搭載した携帯端末に高低段差を設けるための高段、低段の２種類で形成し、ベースプレートにレールプレートの数、高段、低段、間隔に考慮して配置、配列して構成する携帯端末充電ケース。
【請求項２】
携帯端末が厚いためにベースプレートに配列し切らない場合に、充電ケース外にサブプレートを増設し、ベースプレートと同様な構成でレールプレートを配置、配列することにより携帯端末の増設を可能とする、請求項１に記載する携帯端末充電ケース。
【考案の詳細な説明】
【技術分野】
【０００１】タブレット、スマホなど多数の略矩形の携帯端末を充電するための収納ケースに於いて、携帯端末の挿抜が容易、かつ携帯端末の厚さの違いに対応して配列間隔の変更が容易で小型な収納ケースを形成することが出来る、携帯端末充電ケース。
【背景技術】
【０００２】充電するためにタブレット、スマホなど多数の略矩形の携帯端末を配列する収納ケースに関しては、携帯端末を挿抜するためにそれぞれの端末を指で摘むための広い隙間が必要となり収納ケースが大サイズにならざるを得ず、さらに端末を配列するレールの間隔が固定であるため厚い携帯端末を配列可能とするためにはレールの間隔を広げる必要があり、同数の携帯端末を収納しようとする場合は収納ケースの幅が大サイズになるとともに、収納ケースのサイズを変えない場合は収納できる携帯端末数が少なくなる課題を有している。
【考案が解決しようとする課題】
【０００３】タブレット、スマホなど多数の略矩形の携帯端末を充電するために配列する収納ケースに於いて、携帯端末の厚さの違いに対する適応性を高めるとともに、携帯端末の挿抜が容易、かつ小型な携帯端末充電ケースを実現する。
【課題を解決するための手段】
【０００４】ベースプレートは、レールプレートの配置、配列位置を指定するための孔、突起などによる多数の位置指示構造を備え、レールプレートは、ベースプレートの位置指示構造に合わせて配置、配列するための突起、孔などの位置決め構造、ならびに回転や移動を防ぐ固定構造を備え、さらに搭載した携帯端末に高低段差を設けるための高段、低段の２種類で形成し、ベースプレートにレールプレートの数、高段、低段、間隔を考慮して配置、配列して携帯端末充電ケース構成する。
【考案の効果】
【０００５】収納ケース内に携帯端末を同じ高さで配列した場合は、端末を指で摘んで挿抜するための広い隙間が必要となり収納ケースが大サイズにならざるを得ないが、本考案では隣り合う携帯端末に段差を設けて配列することにより携帯端末の挿抜のための無駄なスペースが不要となり収納ケースが小型化されるとともに、携帯端末を配列するためのレールの間隔が固定の場合は携帯端末の厚さによっては挿入出来ない場合も起こるが、本考案のレールプレートは配列間隔を簡単に変更、設定できるため、配列する携帯端末の厚さの違いに対す                        る適応性を高めることが出来る。
【考案を実施するための形態】
【０００６】図１に本考案による携帯端末充電ケースの概念図を示す。１０−１はベースプレート、１は高段のレールプレート、２は低段のレールプレート、１１は携帯端末、１２は携帯端末充電コネクターであり、このコネクターに充電ケーブルを挿して充電を行う。なお本図ではケースの外筐，充電ケーブルなどは省略してある。図２（１）は高段のレールプレートを示し、ｈ１は高段の高さを示し、図２（２）は低段のレールプレートを示し、ｈ２は低段の高さを示し、ｈ１＞ｈ２であり携帯端末はこの段の上に配列される。ベースプレート上で隣り合うレールプレートを高段、低段を交互に配列することにより、レールプレートに配列される携帯端末の高さは、高い、低いが交互に配列されるため、指で摘まんで取り出す場合に指のための空き空間は不要となり、携帯端末充電ケースが小型に形成されるとともに、挿抜が極めて容易となる。
【０００７】図３はベースプレートの上面にレールプレートを配置、配列した場合の概念図を示し、９はベースプレートに形成される孔状の位置指示構造を示す。本図では位置指示孔の間隔Ｌはレールプレート幅Ｗに一致させているため、本孔にレールプレートを合わせて配列するとレールプレートは隙間なく密に配列され、配列可能な携帯端末の厚さはＬ−（携帯端末倒れ防止壁厚）までが配列可能である。例えばレールプレートを一孔ずらして配列する場合は２Ｌ−（携帯端末倒れ防止壁厚）までの厚さの携帯端末が配列出来るなど、ベースプレートの位置指示構造のどこにレールプレートを配置するかによって、配列可能な携帯端末の厚さを選ぶことが出来る。なおこの位置指示構造孔の間隔をレールプレート幅の１／２で形成する場合は、一孔のずらしにより携帯端末の厚さは１．５倍幅に広がるなど位置指示構造孔の形成間隔により多様な携帯端末の厚さへの対応が可能となる。
【０００８】図４はガイドプレートの背面の構成概念図を示し、５はベースプレートの位置指示構造孔に挿入する突起状の位置決め構造を示し、レールプレートの回転を防止する機能も備えている。６はレールプレートの浮き、移動を防止するために、レールプレートの固定プレート挿入溝４に図５の固定プレート７を嵌め込み止めネジ８でベースプレートに設けたタップ穴に止めるための固定プレート止め孔を示す。図１の９−２は請求項２に記載するサブプレートを示す。サブプレートは携帯端末が厚い場合に、レールプレートの配列間隔を広げるためベースプレートに配列出来る携帯端末の数が減少することを防ぐために、ベースプレートと同じ構成により携帯端末の数を追加するプレートであり、使用しない場合は充電ケースの底面に収納しておいて必要な場合に引き出して利用するなどの利用方法が考えられる
【実施例】
【０００９】１２０×１９５×１０ｍｍサイズのタブレットを１０ケ収納する携帯端末充電ケースとして、レールプレート幅Ｗ＝１５ｍｍ、高段ｈ１＝２０ｍｍ、低段ｈ２＝５ｍｍとした。ベースプレート位置指示構造間隔Ｌ＝７．５ｍｍとすれば配列可能な携帯端末の厚さは携帯端末倒れ防止壁厚を２ｍｍとすれば１３ｍｍとなる。レールプレートを密接配列すれば最大で１３ｍｍの携帯端末を配列可能であるが、レールプレートの間隔をベースプレート位置指示構造間隔Ｌ＝７．５ｍｍの一孔分間隔を広げれば１３＋７．５＝２０ｍｍの携帯端末の厚さの配列が可能になり、二孔分ずらせば１３＋１５＝２８ｍｍが可能となる。【００１０】ただしレールプレートを密接配列した場合は１５ｍｍ間隔で１０ケの携帯端末を配列できるベースプレートは二孔分ずらして配列する場合は５ケの携帯端末しか配列できなくなる携帯端末充電ケースは携帯端末１０ケの充電が可能な充電回路を有しているため５ケ分の充電回路が未使用となり無駄となるため、請求項２に示すサブプレートにより余った５ケの携帯端末の充電を行う。ベースプレート、サブプレートは鉄、アルミなどの金属で形成しレールプレート、固定プレートはＡＢＳなどの樹脂で形成した。なお、ベースプレートの位置指示構造やレールプレートの位置決め構造は孔、突起，ねじ止めなど各種考えられるとともに、レールプレートを固定する固定プレートはレールプレートの両端のみを固定すれば良く、両端以外は固定しなくても固定プレートで移動は妨げられる。機能、性能、素材、ディメンジョンなどに関しては本考案の趣旨を逸脱しない範囲であれば種々変形実施が可能である。
【図面の簡単な説明】
【００１１】
【図１】本考案のガイドプレートで構成する携帯端末充電ケースの概念図を示す
【図２】ガイドプレートの構成概念図を示す
【図３】ガイドプレートの配列構成概念を示す
【図４】ガイドプレートの裏面の構成概念図を示す
【図５】ガイドプレートの位置決め例の概念図を示す
【符号の説明】１  携帯端末充電ケース
２（１）高段レールプレート                ｈ１  高段の高さ
２（２）低段レールプレート                ｈ２  低段の高さ
３  携帯端末倒れ防止壁                    Ｌ    位置指示構造幅
４  固定プレート挿入溝                    Ｗ    レールプレート幅
５  突起状の位置決め構造
６  固定プレート止め孔
７  固定プレート
８  固定ブレート固定孔
９  位置指示構造孔
１０−１ベースプレート
１０−２サブプレート
１０  携帯端末
１１  携帯端末充電コネクター
【図１】
0003210307.tif 000003
【図２】
0003210307.tif 000004
【図３】
0003210307.tif 000005
【図４】
0003210307.tif 000006
【図５】
0003210307.tif 000007